【手続補正書】
【提出日】平成17年11月14日(2005.11.14)
【手続補正１】
【補正対象書類名】明細書
【補正対象項目名】特許請求の範囲
【補正方法】変更
【補正の内容】
【特許請求の範囲】
【請求項１】  第一のサイトに設置された、第一の記憶装置及びこれにアクセスする第一の情報処理装置と、
第二のサイトに設置された、第二の記憶装置及びこれにアクセスする第二の情報処理装置と、
第三のサイトに設置された、第三の記憶装置及びこれにアクセスする第三の情報処理装置と、
を含んで構成される情報処理システムの制御方法において、
前記第一乃至第三の情報処理装置のそれぞれの間を通信可能に接続し、
前記第一乃至第三の記憶装置のうち少なくともいずれか２組の記憶装置間を通信可能に接続し、
前記第一乃至第三の情報処理装置をクラスタ化して制御し、
前記第一乃至第三の記憶装置のいずれか１つの記憶装置を複製元の記憶装置として設定し、他の２つの記憶装置を複製先の記憶装置として設定し、
複製元として設定されている前記記憶装置が前記情報処理装置から送信されてくるデータ書き込み要求に応じてデータを記憶した場合に、複製元として設定されている前記記憶装置から複製先として設定されている他の２つの前記記憶装置に前記データを送信し、これを受信した他の２つの前記記憶装置が前記データを記憶することにより複製元として設定されている前記記憶装置に記憶しているデータの複製を複製先として設定されている他の２つの前記記憶装置にも記憶するように制御し、
前記第一乃至第三の情報処理装置のいずれかの情報処理装置から他のいずれかの情報処理装置にフェールオーバが実行された場合に、複製元として設定されている前記記憶装置が複製先の記憶装置となるように、複製先として設定されている２つの前記記憶装置のうちのいずれか１つの記憶装置が複製元の記憶装置となるように、複製元及び複製先となる記憶装置の前記設定を自動的に変更するように制御すること、
を特徴とする情報処理システムの制御方法。
【請求項２】  請求項１に記載の情報処理システムの制御方法において、
前記第一乃至第三の情報処理装置のいずれかの情報処理装置から他のいずれかの情報処理装置にフェールオーバが実行された場合に、前記情報処理装置のうち少なくともいずれか１つの情報処理装置からその情報処理装置がアクセスする前記第一乃至第三のいずれかの記憶装置にその旨が通知され、
前記通知を受信した前記記憶装置から他の前記記憶装置に前記通知があった旨が通知されることにより前記第一乃至第三の記憶装置が前記設定変更に関する処理を実行すること、
を特徴とする情報処理システムの制御方法。
【請求項３】  請求項２に記載の情報処理システムの制御方法において、
前記第一乃至第三の記憶装置は、複製元として設定されている前記記憶装置及び複製先として設定されている前記記憶装置を特定するための情報を記憶しており、
前記設定変更に関する処理には前記情報を変更するための処理が含まれること、
を特徴とする情報処理システムの制御方法。
【請求項４】  請求項１に記載の情報処理システムの制御方法において、
複製元として設定されている前記記憶装置から複製先として設定されている前記記憶装置への前記データの送信は、複製元として設定されている前記記憶装置から複製先として設定されている前記記憶装置に対して直接行われること、
を特徴とする情報処理システムの制御方法。
【請求項５】  請求項１に記載の情報処理システムの制御方法において、
複製元として設定されている前記記憶装置から複製先として設定されている１つ目の前記記憶装置への前記データの送信は前記複製元の記憶装置から直接行われ、複製先として設定されている２つ目の前記記憶装置への前記データの送信は、複製先として設定されている１つ目の前記記憶装置を介して間接的に行われること、
を特徴とする情報処理システムの制御方法。
【請求項６】  請求項１に記載の情報処理システムの制御方法において、
前記設定の自動的な変更に際し、
複製元として設定されている前記記憶装置から複製先として設定されている前記記憶装置への前記データの送信が、複製元として設定されている前記記憶装置から複製先として設定されている前記記憶装置に対して直接行われるようにする制御から、
複製元として設定されている前記記憶装置から複製先として設定されている１つ目の前記記憶装置への前記データの送信は前記複製元の記憶装置から直接行われ、複製先として設定されている２つ目の前記記憶装置への前記データの送信は、複製先として設定されている１つ目の前記記憶装置を介して間接的に行われるようにする制御に切り替えること、
を特徴とする情報処理システムの制御方法。
【請求項７】  請求項１に記載の情報処理システムの制御方法において、
複製元として設定されている前記記憶装置は、複製先として設定されている前記記憶装置に前記データが書き込まれたことを確認した後に前記データ書き込み要求に対する完了報告を前記情報処理装置に送信すること、
を特徴とする情報処理システムの制御方法。
【請求項８】  請求項１に記載の情報処理システムの制御方法において、
複製元として設定されている前記記憶装置は、複製先として設定されている前記記憶装置において前記データが書き込まれたかどうかとは無関係に前記データ書き込み要求に対する完了報告を前記情報処理装置に送信すること、
を特徴とする情報処理システムの制御方法。
【請求項９】  請求項１に記載の情報処理システムの制御方法において、
前記第一乃至第三の記憶装置のデータ記憶領域はこの記憶領域上に論理的に設定された論理ボリュームを単位として管理され、
複製元として設定されている前記記憶装置の論理ボリュームと複製先として設定されている前記記憶装置の論理ボリュームとが対応づけられ、
複製元として設定されている前記記憶装置に記憶しているデータの複製を複製先として設定されている他の２つの前記記憶装置にも記憶する前記制御は、対応づけられている前記各論理ボリュームの内容を一致させるように行われること、
を特徴とする情報処理システムの制御方法。
【請求項１０】  第一のサイトに設置された、第一の記憶装置及びこれにアクセスする第一の情報処理装置と、
第二のサイトに設置された、第二の記憶装置及びこれにアクセスする第二の情報処理装置と、
第三のサイトに設置された、第三の記憶装置及びこれにアクセスする第三の情報処理装置と、
前記第一乃至第三の情報処理装置のそれぞれの間を通信可能に接続する手段と、
前記第一乃至第三の記憶装置のうち少なくともいずれか２組の記憶装置間を通信可能に接続し、
前記第一乃至第三の情報処理装置をクラスタ化して制御する手段と、
前記第一乃至第三の記憶装置のいずれか１つの記憶装置を複製元の記憶装置として設定し、他の２つの記憶装置を複製先の記憶装置として設定する手段と、
複製元として設定されている前記記憶装置が前記情報処理装置から送信されてくるデータ書き込み要求に応じてデータを記憶した場合に、複製元として設定されている前記記憶装置から複製先として設定されている他の２つの前記記憶装置に前記データを送信し、これを受信した他の２つの前記記憶装置が前記データを記憶することにより複製元として設定されている前記記憶装置に記憶しているデータの複製を複製先として設定されている他の２つの前記記憶装置にも記憶するように制御する手段と、
前記第一乃至第三の情報処理装置のいずれかの情報処理装置から他のいずれかの情報処理装置にフェールオーバが実行された場合に、複製元として設定されている前記記憶装置が複製先の記憶装置となるように、複製先として設定されている２つの前記記憶装置のうちのいずれか１つの記憶装置が複製元の記憶装置となるように、複製元及び複製先となる  記憶装置の前記設定を自動的に変更するように制御する手段と、
を備えることを特徴とする情報処理システム。
【請求項１１】  請求項１０に記載の情報処理システムにおいて、
複製元として設定されている前記記憶装置から複製先として設定されている前記記憶装置への前記データの送信は、複製元として設定されている前記記憶装置から複製先として設定されている前記記憶装置に対して直接行われること、
を特徴とする情報処理システム。
【請求項１２】  請求項１０に記載の情報処理システムにおいて、
複製元として設定されている前記記憶装置から複製先として設定されている１つ目の前記記憶装置への前記データの送信は前記複製元の記憶装置から直接行われ、複製先として設定されている２つ目の前記記憶装置への前記データの送信は、複製先として設定されている１つ目の前記記憶装置を介して間接的に行われること、
を特徴とする情報処理システム。
【請求項１３】  請求項１０に記載の情報処理システムにおいて、
前記設定の自動的な変更に際し、
複製元として設定されている前記記憶装置から複製先として設定されている前記記憶装置への前記データの送信が、複製元として設定されている前記記憶装置から複製先として設定されている前記記憶装置に対して直接行われるようにする制御から、
複製元として設定されている前記記憶装置から複製先として設定されている１つ目の前記記憶装置への前記データの送信は前記複製元の記憶装置から直接行われ、複製先として設定されている２つ目の前記記憶装置への前記データの送信は、複製先として設定されている１つ目の前記記憶装置を介して間接的に行われるようにする制御に切り替える手段、
を備えることを特徴とする情報処理システム。
【請求項１４】  請求項１０に記載の情報処理システムにおいて、
複製元として設定されている前記記憶装置が、複製先として設定されている前記記憶装置において前記データが書き込まれたことを確認した後に前記データ書き込み要求に対する完了報告を前記情報処理装置に送信する手段、
を備えることを特徴とする情報処理システム。
【請求項１５】  請求項１０に記載の情報処理システムにおいて、
複製元として設定されている前記記憶装置が、複製先として設定されている前記記憶装置において前記データが書き込まれたかどうかとは無関係に前記データ書き込み要求に対する完了報告を前記情報処理装置に送信する手段、
を備えることを特徴とする情報処理システム。
【請求項１６】  第一のサイトに設置された、第一の記憶装置及びこれにアクセスする第一の情報処理装置と、
第二のサイトに設置された、第二の記憶装置及びこれにアクセスする第二の情報処理装置と、
第三のサイトに設置された、第三の記憶装置及びこれにアクセスする第三の情報処理装置と、
前記第一乃至第三の情報処理装置のそれぞれの間を通信可能に接続する手段と、
前記第一乃至第三の記憶装置のうち少なくともいずれか２組の記憶装置間を通信可能に接続する手段と、
前記第一乃至第三の情報処理装置をクラスタ化して制御する手段と、
前記第一乃至第三の記憶装置のいずれか１つの記憶装置を複製元の記憶装置として設定し、他の２つの記憶装置を複製先の記憶装置として設定する手段と、
複製元として設定されている前記記憶装置が前記情報処理装置から送信されてくるデータ書き込み要求に応じてデータを記憶した場合に、複製元として設定されている前記記憶装置から複製先として設定されている他の２つの前記記憶装置に前記データを送信し、これを受信した他の２つの前記記憶装置が前記データを記憶することにより複製元として設定されている前記記憶装置に記憶しているデータの複製を複製先として設定されている他の２つの前記記憶装置にも記憶するように制御する手段と、
前記第一乃至第三の情報処理装置のいずれかの情報処理装置から他のいずれかの情報処理装置にフェールオーバが実行された場合に、複製元として設定されている前記記憶装置が複製先の記憶装置となるように、複製先として設定されている２つの前記記憶装置のうちのいずれか１つの記憶装置が複製元の記憶装置となるように、複製元及び複製先となる記憶装置の前記設定を自動的に変更するように制御する手段とを備える情報処理システムにおける、前記第一乃至第三のうち少なくともいずれかの情報処理装置に、
前記フェールオーバが実行された場合に、前記情報処理装置のうち少なくともいずれか１つの情報処理装置からその情報処理装置がアクセスする前記第一乃至第三のいずれかの記憶装置にその旨を通知する機能、
を実現するためのプログラム。
【請求項１７】  ＣＰＵ及びメモリを有する第一の情報処理装置と、前記第一の情報処理装置と通信可能に接続し、前記第一の情報処理装置と通信するチャネル制御部、キャッシュメモリ、及びディスクドライブに対するデータの書き込み／読み出しを行うディスク制御部を有する第一のディスクアレイ装置とが第一のサイトに設置され、
ＣＰＵ及びメモリを有する第二の情報処理装置と、前記第二の情報処理装置と通信可能に接続し、前記第二の情報処理装置と通信するチャネル制御部、キャッシュメモリ、及びディスクドライブに対するデータの書き込み／読み出しを行うディスク制御部を有する第二のディスクアレイ装置とが第二のサイトに設置され、
ＣＰＵ及びメモリを有する第三の情報処理装置と、前記第三の情報処理装置と通信可能に接続し、前記第三の情報処理装置と通信するチャネル制御部、キャッシュメモリ、及びディスクドライブに対するデータの書き込み／読み出しを行うディスク制御部を有する第三のディスクアレイ装置とが第三のサイトに設置され、
前記第一乃至第三の情報処理装置のそれぞれの間が通信可能に接続され、
前記第一乃至第三のディスクアレイ装置のうち少なくともいずれか２組の前記ディスクアレイ装置が通信可能に接続されてなる情報処理システムの制御方法であって、
前記第一乃至第三の情報処理装置を、前記第一乃至第三の情報処理装置の間で障害が発生した場合に互いに処理を引き継ぐようにクラスタ化し、
前記第一乃至第三のディスクアレイ装置において、前記第一乃至第三のディスクアレイ装置のうちのいずれか１つをリモートコピーの複製元のディスクアレイ装置として設定し、他の２つを複製先のディスクアレイ装置として設定し、
複製元として設定されている前記ディスクアレイ装置が、当該ディスクアレイ装置に接続している前記情報処理装置から送信されてくるデータ書き込み要求に応じてデータを記憶した場合に、複製元として設定されている前記ディスクアレイ装置から複製先として設定されている他の２つの前記ディスクアレイ装置に前記データを送信し、前記データを受信した他の２つの前記ディスクアレイ装置のそれぞれが前記データを記憶することにより、複製元として設定されている前記ディスクアレイ装置に記憶しているデータの複製を複製先として設定されている他の２つの前記ディスクアレイ装置にも記憶するように制御し、
前記第一乃至第三の情報処理装置のいずれかの前記情報処理装置から他のいずれかの前記情報処理装置に対してフェールオーバが実行された場合に、複製元として設定されている前記ディスクアレイ装置が複製先のディスクアレイ装置となるように、複製先として設定されている２つの前記ディスクアレイ装置のうちのいずれか１つが複製元のディスクアレイ装置となるように、複製元及び複製先となるディスクアレイ装置のそれぞれにおける前記設定を、自動的に変更するように制御すること、
を特徴とする情報処理システムの制御方法。
【請求項１８】  請求項１７に記載の情報処理システムの制御方法であって、
複製元及び複製先となるディスクアレイ装置のそれぞれにおける前記設定を自動的に変更する前記制御は、前記第１乃至第三の情報処理装置のうちの２つの情報処理装置の間で行われているリモートコピーの同期／非同期の方式を維持したまま行われること
を特徴とする情報処理システムの制御方法。
【請求項１９】  請求項１７に記載の情報処理システムの制御方法であって、
複製元及び複製先となるディスクアレイ装置のそれぞれにおける前記設定を自動的に変更する前記制御には、リモートコピーの形式を変更するための制御が含まれること
を特徴とする情報処理システムの制御方法。
【手続補正２】
【補正対象書類名】図面
【補正対象項目名】図３
【補正方法】変更
【補正の内容】
【図３】
2004206562.tif 000001
【手続補正３】
【補正対象書類名】図面
【補正対象項目名】図５
【補正方法】変更
【補正の内容】
【図５】
2004206562.tif 000002